(57)【要約】【課題】手首の関節の広がりを抑制し、腱鞘炎の症状の改善を促進することができる腱鞘炎用サポーターを提供する。【解決手段】  腱鞘炎用サポーターは、手掌を反らすように拡張するための手掌拡張部を備える。手掌拡張部は、捻られた環状の弾性部材によって構成されており、第１指を挿入するための第１環状部と、第５指を挿入するための第２環状部と、第１及び第２環状部の間に設けられ、弾性部材の２つの線状部が交差する交差部とを有する。かかる手掌拡張部は、交差部が手背側に配置されるように手に装着される。【選択図】図１
2019098100.tif 000002
【特許請求の範囲】
【請求項１】
捻られた環状の弾性部材によって構成され、第１指を挿入するための第１環状部と、第５指を挿入するための第２環状部と、前記第１及び第２環状部の間に設けられ、前記弾性部材の２つの線状部が交差する交差部とを有する手掌拡張部を備え、
前記手掌拡張部は、前記交差部が手背側に配置されるように手に装着される、
腱鞘炎用サポーター。
【請求項２】
前記第１環状部において、前記交差部に連なる２つの線状部に掛け渡された、伸縮性を有する第１面状部と、
前記第２環状部において、前記交差部に連なる２つの線状部に掛け渡された、伸縮性を有する第２面状部と
をさらに備える、
請求項１に記載の腱鞘炎用サポーター。
【請求項３】
前記第１環状部は、母指球を押圧するための突起を有する、
請求項１又は２に記載の腱鞘炎用サポーター。
【請求項４】
前記手掌拡張部より手首側が開放されている、
請求項１乃至３の何れかに記載の腱鞘炎用サポーター。
【発明の詳細な説明】
【技術分野】
【０００１】
本発明は、腱鞘炎の症状を改善するための腱鞘炎用サポーターに関する。
【背景技術】
【０００２】
特許文献１には、打撲、捻挫、腱鞘炎の保存療法に用いられる手首拘束用サポーターが開示されている。このサポーターは、略筒状に形成され、周方向に伸縮可能なサポーター本体を有し、第２指から第５指のつけ根から手首までを覆うように当該サポーター本体を装着することにより、手首を固定する。またサポーター本体の第５指側に長手方向に沿って添え木状の支持体が取り付けられ、これによっても手首が固定される。
【先行技術文献】
【特許文献】
【０００３】
【特許文献１】特開２００５−５４９号公報
【発明の概要】
【発明が解決しようとする課題】
【０００４】
上述した特許文献１に開示されている手首拘束用サポーターでは、サポーター本体による締め付けのため掌が内側に若干丸くなった状態となる。このような掌の丸まりは手首の関節の広がりを引き起こす。関節が広がった状態で固定されると血流及びリンパの流れが悪化し、このため腱鞘炎の症状の改善が抑制される。
【０００５】
本発明は斯かる事情に鑑みてなされたものであり、その主たる目的は、上記課題を解決することができる腱鞘炎用サポーターを提供することにある。
【課題を解決するための手段】
【０００６】
上述した課題を解決するために、本発明の一の態様の腱鞘炎用サポーターは、捻られた環状の弾性部材によって構成され、第１指を挿入するための第１環状部と、第５指を挿入するための第２環状部と、前記第１及び第２環状部の間に設けられ、前記弾性部材の２つの線状部が交差する交差部とを有する手掌拡張部を備え、前記手掌拡張部は、前記交差部が手背側に配置されるように手に装着される。
【０００７】
上記態様において、前記腱鞘炎用サポーターは、前記第１環状部において、前記交差部に連なる２つの線状部に掛け渡された、伸縮性を有する第１面状部と、前記第２環状部において、前記交差部に連なる２つの線状部に掛け渡された、伸縮性を有する第２面状部とをさらに備えてもよい。
【０００８】
上記態様において、前記第１環状部は、母指球を押圧するための突起を有してもよい。
【０００９】
上記態様において、前記腱鞘炎用サポーターは、前記手掌拡張部より手首側が開放されていてもよい。
【発明の効果】
【００１０】
本発明によれば、手首の関節の広がりを抑制し、腱鞘炎の症状の改善を促進することができる。
【図面の簡単な説明】
【００１１】
【図１】実施の形態に係る腱鞘炎用サポーターの構成を示す平面図。
【図２】第１環状部の拡大図。
【図３】実施の形態に係る腱鞘炎用サポーターを手に装着した状態を示す手背側の図。
【図４】実施の形態に係る腱鞘炎用サポーターを手に装着した状態を示す手掌側の図。
【図５】実施の形態に係る腱鞘炎用サポーターに作用する張力を説明するための図。
【発明を実施するための形態】
【００１２】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１３】
図１は、本実施の形態に係る腱鞘炎用サポーターの構成を示す平面図である。本実施の形態に係る腱鞘炎用サポーター１００は、手掌を反らすように拡張するための手掌拡張部２００と、第１及び第２面状部３０１，３０２とを備える。
【００１４】
手掌拡張部２００は、天然ゴム、シリコンゴム、ポリウレタン等によって構成された環状の弾性部材を伸縮性のある筒状の布地によって被覆して構成されている。かかる手掌拡張部２００は、中央部分において交差するように∞字状に捻られており、第１環状部２０１、第２環状部２０２、及び交差部２０３を有している。つまり、第１及び第２環状部２０１，２０２のそれぞれは、一端が円弧状をなし、他端が尖った水滴状に形成されている。第１環状部２０１と第２環状部２０２とは概ね相似形であり、第１環状部２０１の直径は第２環状部２０２の直径よりも大きい。これは、後述するように第１環状部２０１が第１指を挿入するための部位であり、第２環状部２０２が第５指を挿入するための部位であるためである。かかる第１及び第２環状部２０１，２０２は、水滴状の尖った部分が互いに対向するように設けられる。交差部２０３は、弾性部材の２つの線状部が交差して構成されており、第１及び第２環状部２０１，２０２の接合部分である。
【００１５】
第１面状部３０１は、第１環状部２０１の先鋭側、即ち交差部２０３側において、この交差部２０３に連なる２つの線状部に掛け渡される。同様に、第２面状部３０２は、第２環状部２０２の先鋭側、即ち交差部２０３側において、交差部２０３に連なる２つの線状部に掛け渡される。第１及び第２面状部３０１，３０２のそれぞれは、例えばポリウレタン弾性糸が混和されたストレッチ生地等の伸縮性のある布地によって構成されており、手掌拡張部２００の弾性部材を覆う布地（以下、「カバー」という）と一体的に形成されている。１つのストレッチ生地によって第１及び第２面状部３０１，３０２並びに手掌拡張部２００のカバーの全てを形成してもよいし、別個に形成した第１及び第２面状部３０１，３０２並びに手掌拡張部２００のカバーを縫合することにより一体化してもよい。
【００１６】
第１面状部３０１は、第１環状部２０１の全てを塞ぐのではなく、先鋭側のみを塞いでいる。つまり、第１環状部２０１の円弧状部分の内側は第１面状部３０１によって塞がれておらず、楕円状の開口が設けられている。この開口部は、ユーザの第１指を挿入するための挿入孔２１１とされる。同様に、第２面状部３０２は、第２環状部２０２の全てを塞ぐのではなく、先鋭側のみを塞いでいる。つまり、第２環状部２０２の円弧状部分の内側は第２面状部３０２によって塞がれておらず、楕円状の開口が設けられている。この開口部は、ユーザの第５指を挿入するための挿入孔２１２とされる。
【００１７】
図２は、第１環状部２０１の拡大図である。図２に示すように、第１環状部２０１の円弧状部分には、複数の突起２０４がその長手方向に沿って等間隔に設けられている。かかる突起２０４は、腱鞘炎用サポーター１００の装着時においてユーザの母指球及び中手骨の外側の部位に当接し、これに押圧刺激を付与する。
【００１８】
図３及び図４は、本実施の形態に係る腱鞘炎用サポーター１００を手に装着した状態を示す図であり、図３は手背側を示し、図４は手掌側を示している。ユーザは、患部である手（例えば、右手）の第１指を第１環状部２０１の挿入孔２１１に挿入し、第５指を第２環状部２０２の挿入孔２１２に挿入して、腱鞘炎用サポーター１００を手に装着する。このとき、ユーザは交差部２０３を手背側に位置させる。
【００１９】
図４に示すように、第１環状部２０１の円弧状部分が第１指の根元（中手骨の部分）の手掌側に掛けられ、第２環状部２０２の円弧状部分が第５指の根元の手掌側に掛けられる。つまり、第１環状部２０１の円弧状部分は、第１指と第２指との指間部から第１指の母指球の外側の部位に至るように位置付けられ、第２環状部２０２の円弧状部分は、第４指と第５指との指間部から小指球の外側上部に至るように位置付けられる。
【００２０】
手掌拡張部２００は、ユーザの手に装着したときに弛まず、適度な張力を生じるように拡張される程度の自然長とされる。このため、腱鞘炎用サポーター１００の装着時において、第１環状部２０１の円弧状部分及び第２環状部２０２の円弧状部分が互いに引きつけ合うように張力が生じ、ユーザの手が反るように拡張される。
【００２１】
図５は、本実施の形態に係る腱鞘炎用サポーター１００に作用する張力を説明するための図である。図５に示すように、第１指基端部手首側から手背側に延出した手掌拡張部２００の帯状部分は、交差部２０３を介して第４指と第５指との指間部へと延びている。したがって、第１環状部２０１の第１指基端部手首側から手背側へ延出する部分には、第４指と第５指との指間部へと向かう張力ＴＦ１が発生する。他方、第５指基端部手首側から手背側に延出した手掌拡張部２００の帯状部分は、交差部２０３を介して第１指と第２指との指間部へと延びている。したがって、第２環状部２０２の第５指基端部手首側から手背側へ延出する部分には、第１指と第２指との指間部へと向かう張力ＴＦ２が発生する。これにより、ユーザの手は、第１指及び第５指の手首側の部位のそれぞれが手背側に反るように拡張される。
【００２２】
また、第１指及び第２指の指間部から手背側に延出した第１環状部２０１の帯状部分には、第５指基端部手首側へと向かう張力ＴＦ３が発生し、第４指及び第５指の指間部から手背側に延出した第２環状部２０２の帯状部分には、第１指基端部手首側へと向かう張力ＴＦ４が発生する。この結果、第１指基端部には第５指側へと反る力が作用し、第５指基端部には第１指側へと反る力が作用する。これによりユーザの手掌全体が反るよう拡張される。これに伴い、上記のように第１指基端部手首側の部位が第４指及び第５指の指間部へ向かって引っ張られるように反り、第５指基端部手首側の部位が第１指及び第２指の指間部へ向かって引っ張られるように反る。その上、腱鞘炎用サポーター１００には、手首を拘束する構造が設けられておらず、ユーザの手首部分が開放される。このように手を反らせつつ、手首を開放させることにより、手首の関節が開いた状態を防止することができる。このため、血流及びリンパの流れが抑制されず、腱鞘炎の症状の改善が促進される。しかも、腱鞘炎用サポーター１００は全体が伸縮自在であるため、ユーザの手が拘束されず、物を掴むなどの作業を容易に行うことができる。
【００２３】
手に装着された腱鞘炎用サポーター１００は、手掌拡張部２００の張力によって手背を押圧するが、第１及び第２面状部３０１，３０２が設けられているため、押圧力が手掌拡張部２００に集中せず、第１及び第２面状部３０１，３０２にも分散される。このため、ユーザの手背に局部的に過度な押圧力がかかることによる食い込みが生じず、良好な装着感を生じさせる。
【００２４】
また、第１環状部２０１に設けられた突起２０４によって母指球及び第１指の中手骨の外側の部位に押圧刺激が付与される。これにより、手の血流及びリンパの流れが促進され、リラックス効果が得られる。
【００２５】
（その他の実施の形態）
上述した実施の形態においては、第１及び第２面状部３０１，３０２を布地とする構成について述べたが、これに限定されるものではない。例えば柔軟性を有するメッシュによって第１及び第２面状部３０１，３０２を構成することもできる。また、第１及び第２面状部３０１，３０２の一方又は両方を設けない構成としてもよい。この場合、手掌拡張部２００の太さを手に食い込みすぎない程度に設定することが好ましい。特に、第１指及び第５指の中手骨外側の部位に当接する部分には力が集中しやすいため、これらの部分を幅の広い扁平な帯状としてもよい。
【００２６】
また、上述した実施の形態においては、手掌拡張部２００より手首側が開放された構成について述べたが、これに限定されるものではない。手首を覆うカバー等をもうけることも可能である。但し、柔軟性のある布地等によってカバーを構成するようにして、手首を拘束しないようにすることが好ましい。
【産業上の利用可能性】
【００２７】
本発明の腱鞘炎用サポーターは、腱鞘炎の症状を改善するための腱鞘炎用サポーターとして有用である。
【符号の説明】
【００２８】
１００  腱鞘炎用サポーター
２００  手掌拡張部
２０１  第１環状部
２０２  第２環状部
２０３  交差部
２０４  突起
２１１  挿入孔
２１２  挿入孔
３０１  第１面状部
３０２  第２面状部
【図１】
2019098100.tif 000003
【図２】
2019098100.tif 000004
【図３】
2019098100.tif 000005
【図４】
2019098100.tif 000006
【図５】
2019098100.tif 000007